(57)【特許請求の範囲】
【請求項１】
長さ方向に隣接させた一対の軒樋に跨るように継手部材を軒樋に重ねて嵌合し、この継手部材に軒樋の内面に臨む境界縁部を設け、この境界縁部に開口して軒樋の内面に溜まる雨水を毛細管作用で引き込ませるための孔部を穿設したことを特徴とする軒樋の接続構造。
【請求項２】
上記孔部を一対の軒樋の隣接方向である継手部材の長さ方向に亘って形成し、孔部の水下側部位の孔径を水上側部位の孔径に比べて大きく形成したことを特徴とする請求項１記載の軒樋の接続構造。
【請求項３】
孔部を屈曲孔状に形成したことを特徴とする請求項１または２に記載の軒樋の接続構造。
【請求項４】
前記軒樋の長さ方向の端面と前記継手部材の外方突出部との境界部に、両者に弾接する弾接材を介在したことを特徴とする請求項１乃至３のいずれか一項に記載の軒樋の接続構造。
【発明の詳細な説明】
【技術分野】
【０００１】
本発明は、軒樋の接続構造に関するものである。
【背景技術】
【０００２】
図８のように長さ方向に隣接させた一対の軒樋１に跨るように継手部材２を軒樋１に重ねて嵌合して成る軒樋１の接続構造は、特許文献１のように、従来から知られている。しかしながら、このような軒樋１の接続構造では、継手部材２と軒樋１との境界部５（継手部材２と軒樋１との重合部分）には微小な隙間が形成されてしまうことが多々有り、上記隙間は軒樋１の内面に溜まる雨水を毛細管作用に隙間内に引き込んでしまうのであって、隙間内で長期に留まる雨水が徐々に継手部材２と軒樋１との境界部５を進んで外方へ漏れ出てくる（矢印Ｃ）という恐れを有しているものであった。
【特許文献１】特開２００５−１６０９１号公報
【発明の開示】
【発明が解決しようとする課題】
【０００３】
本発明は上記の従来の問題点に鑑みて為したものであって、継手部材と軒樋との境界部の毛細管作用を原因とする雨水の漏れを防止できる軒樋の接続構造を提供することを課題とするものである。
【課題を解決するための手段】
【０００４】
上記課題を解決するために本発明の請求項１に係る軒樋の接続構造は、長さ方向に隣接させた一対の軒樋１に跨るように継手部材２を軒樋１に重ねて嵌合し、この継手部材２に軒樋１の内面に臨む境界縁部３を設け、この境界縁部３に開口して軒樋１の内面に溜まる雨水を毛細管作用で引き込ませるための孔部４を穿設したことを特徴とする。これによると、軒樋１の内面に溜まる雨水を、継手部材２と軒樋１との境界部５にできる隙間よりも先に、継手部材２に設けた軒樋１の内面に臨む境界縁部３に開口する孔部４に引き込ませることができ、しかして、軒樋１の内面に溜まる雨水を継手部材２と軒樋１との境界部５に引き込ませずに、継手部材２と軒樋１との境界部５の毛細管作用を原因とする雨水の漏れ防止を図ることができる。
【０００５】
また、請求項２に係る軒樋の接続構造は、請求項１において、上記孔部４を一対の軒樋１の隣接方向である継手部材２の長さ方向に亘って形成し、孔部４の水下側部位の孔径Ｄ１を水上側部位の孔径Ｄ２に比べて大きく形成したことを特徴とする。これによると、継手部材２より水上側の軒樋１の内面に溜まる雨水を継手部材２の孔部４に毛細管作用にて引き込ませ、継手部材２の長さ方向に亘って形成した孔部４の水下側では孔径を水上側部位に比べて大きく形成して毛細管作用を発生させず、上記孔部４に引き込ませた雨水を孔部４の水下側から継手部材２より水下側の軒樋１の内面に重力によって流下させることができるのであって、孔部４内で雨水が長期貯留される状態を回避して孔部４内への水垢等の付着を防止したり孔部４にゴミが溜まって詰まることを防止することができる。つまり、孔部４の機能の持続性を高めて、継手部材２と軒樋１との境界部５の毛細管作用を原因とする雨水の漏れ防止の向上を図ることができる。
【０００６】
また、請求項３に係る軒樋の接続構造は、請求項１または２において、孔部４を屈曲孔状に形成したことを特徴とする。これによると、孔部４の長さを一直線状のものと比較して長く形成できるのであって、雨水の孔部４内への引込量を増やして、継手部材２と軒樋１との境界部５の毛細管作用を原因とする雨水の漏れ防止の向上を図ることができる。
【０００７】
また、請求項４に係る軒樋の接続構造は、請求項１乃至３のいずれか一項において、前記軒樋１の長さ方向の端面と継手部材２の外方突出部７との境界部５に両者に弾接する弾接材６を介在したことを特徴とする。これによると、軒樋１の内面に溜まる雨水が軒樋１と継手部材２との境界部５を進んでいくことを弾接材６によって阻害でき、上記弾接材６によって軒樋１と継手部材２との境界部５で一旦留められた軒樋１の内面に溜まる雨水が孔部４の開口に臨むまで貯められると、孔部４内に引き込ませることができるのであり、つまり軒樋１の内面に溜まる雨水を孔部４に引き込ませる可能性を高めることができるから、継手部材２と軒樋１との境界部５の毛細管作用を原因とする雨水の漏れ防止の向上を図ることができる。
【発明の効果】
【０００８】
本発明は、継手部材と軒樋との境界部の毛細管作用を原因とする雨水の漏れ防止を図り得る、という利点を有する。
【発明を実施するための最良の形態】
【０００９】
以下、本発明を添付図面に示す実施形態に基いて説明する。
【００１０】
図１乃至図３に本発明の実施の形態の例を示す。図２のように、本例は、一対の軒樋１を継手部材２としての内継手部材２ａを介して接続させる軒樋１の接続構造であり、詳しくは、長さ方向に隣接させた一対の軒樋１に跨るように内継手部材２ａを軒樋１の内面に重ねて嵌合することで上記一対の軒樋１を接続させている。
【００１１】
長尺の軒樋１は、建物の外方側に面して位置する前壁１０、建物の内方側に面して位置する後壁１１、前壁１０と後壁１１の各下端を接続する底壁１２によって断面略Ｕ字状に主体が構成されており、前壁１０の上端部には軒樋１の内側に突出形成した前耳部１３が設けられ、後壁１１の上端には軒樋１の内側に突出形成した後耳部１４が設けられている。ここで、一対の軒樋１を接続させる際の一対の軒樋１の隣接方向は、軒樋１の長尺方向であって便宜上、長さ方向と称し、また後述の周方向は前壁１０から底壁１２を経て後壁１１に至る方向を言うものとする。
【００１２】
内継手部材２ａは、図３（ａ）のように、軒樋１と同様、前壁２０、後壁２１及び底壁２２によって断面略Ｕ字状に主体が構成されており、前壁２０の上端部には軒樋１の前耳部１３に係止する前耳係止部２３が設けられ、後壁１１の上端部には軒樋１の後耳部１４に係止する後耳係止部２４が設けられている。内継手部材２ａはその外面形状が軒樋１の内面形状と略同形状に施されており、つまり前耳係止部２３を軒樋１の前耳部１３に係止させると共に後耳係止部２４を軒樋１の後耳部１４に係止させて内継手部材２ａを軒樋１内に嵌合させたときには、内継手部材２ａは軒樋１の内面にその外面を押圧させるように嵌合するようになっている。内継手部材２ａの外面と軒樋１の内面との間は後述の境界部５を構成している。
【００１３】
内継手部材２ａを介して一対の軒樋１を接続させた際には、図１のように、内継手部材２ａの主体部の長さ方向の両端面は軒樋１の内面から内側に立ち上がるように位置するものであって、この内継手部材２ａの長さ方向の両端面の外縁部分は軒樋１の内面に臨むような境界縁部３となる。この境界縁部３は境界部５の軒樋１側の端縁部分を構成するものである。そして、これら境界縁部３には内継手部材２ａをその長さ方向に貫通して穿設した孔部４が開口している。孔部４は図３（ｂ）のように内継手部材２ａの周方向に所定間隔ごとに複数並設されている。孔部４は雨水をその内部に毛細管作用によって引き込ませるに適した孔径（たとえば２ｍｍ以下）に形成されている。本例では孔部４は管材を内継手部材２ａに埋設させて形成しているが、これに限らず、たとえば成形した内継手部材２ａに切削（穿孔）により孔部４を形成してもよく、また孔部形成用キャビティを有した成形型にて内継手部材２ａの成形時に孔部４を同時に形成してもよい。
【００１４】
また、本例の内継手部材２ａの主体部の長さ方向の中央部分には外方に突出する外方突出部７が一体に形成されている。この外方突出部７の長さ方向の両端面部には軒樋１の長さ方向の端部が該長さ方向から当接される当接面部７ａが設けられており、この当接面部７ａは内継手部材２ａの他部位よりも軟質の弾接材６で構成されている。詳しくは、本例の内継手部材２ａにあって外方突出部７の当接面部７ａは軒樋１の長さ方向の端面が当接するようになっており、この当接面部７ａを構成する弾接材６は軟質熱可塑性樹脂製であり、内継手部材２ａのその他の部位は全て硬質熱可塑性樹脂製であり、これらは一体成形されている。この弾接材６は軒樋１と内継手部材２ａとの境界部５に位置して配設されており、境界部５で軒樋１と内継手部材２ａとの両者に弾接している。
【００１５】
ところで、軒樋１の内面には雨水が滞留してしまうことがあり、この滞留した雨水が軒樋１と継手部材２との境界部５にできる微小な隙間に毛細管作用にて引き込まれることで、経時的に軒樋１と継手部材２との間から外方への漏水を生じさせてしまうのであり、本例のように内継手部材２ａを介して一対の軒樋１を接続させた際には、軒樋１の内面から内方に段差状になる内継手部材２ａの境界縁部３に表面張力によって雨水が溜まり易くなっているのであるが、本例ではこの漏水を有効に防止している。
【００１６】
つまり本例では、軒樋１と内継手部材２ａとの境界部５の軒樋１の内面側の端縁部分を構成する境界縁部３に孔部４が開口しているから、軒樋１の内面に溜まる雨水を、内継手部材２ａと軒樋１との境界部５にできる隙間よりも先に、孔部４内に毛細管作用によって引き込ませることができるのである（矢印Ａ）。しかして、軒樋１の内面に溜まる雨水が内継手部材２ａと軒樋１との境界部５に引き込まれてしまうことを抑制できるのであり、その結果、内継手部材２ａと軒樋１との境界部５の毛細管作用を原因とする雨水の漏れ防止が図られているのである。
【００１７】
なお、軒樋１と内継手部材２ａのような継手部材２とはその境界部５で接着剤を介して接着、固定されて接続されるのであり、境界部５に生じる微小な隙間は接着剤が非連続的に塗布されたりする接着剤の塗布仕上げの状態により生じることもあるが、本例では叙述のように内継手部材２ａと軒樋１との境界部５の毛細管作用を原因とする雨水の漏れ防止が図られているので、この境界部５への接着剤の塗布施工を注意深く行う必要も無くなり、軒樋１の接続施工の軽減化も図られるという利点もある。
【００１８】
また、本例では、軒樋１と内継手部材２ａとの境界部５で軒樋１と内継手部材２ａとの両者に弾接する弾接材６がいわゆる止水材として機能し、つまりこの弾接材６によって軒樋１の内面に溜まる雨水が軒樋１と継手部材２との境界部５を進んでいくことを阻害できるようになっている。しかして、軒樋１の内面に溜まる雨水が、弾接材６によって軒樋１と継手部材２との境界部５で留められて、孔部４の開口に臨むまで貯まった状態になると、毛細管作用によって孔部４内に引き込ませることができるようになっている。すなわち、軒樋１の内面に溜まる雨水を孔部４に引き込ませる可能性が高められているのであり、この点でも、継手部材２と軒樋１との境界部５の毛細管作用を原因とする雨水の漏れ防止の向上が図られているのである。
【００１９】
以下、本発明の実施の形態の他例を列挙して説明する。これらの例においては、先例と同様部位には同符号を付して説明を省き、先例と異なる部位について説明していく。
【００２０】
図４には本発明の実施の形態の他例を示す。本例は、水勾配（θは勾配角度を示す）がつけられて配設された軒樋１において、孔部４の水下側部位の孔径Ｄ１を水上側部位の孔径Ｄ２に比べて大きく形成している。詳しくは、孔部４の水上側部位の孔径Ｄ２は孔部４内に毛細管作用を発生させるほど小さい孔径（たとえば２ｍｍ以下の孔径）に形成されており、孔部４の水下側部位の孔径Ｄ１は孔部４内に毛細管作用が発生しないほど大きい孔径（たとえば２ｍｍより大きい孔径）に形成されている。これによると、継手部材２より水上側の軒樋１の内面に溜まる雨水を継手部材２の孔部４に毛細管作用にて引き込ませ、継手部材２の長さ方向に亘って形成した孔部４の水下側では孔径を水上側部位に比べて大きく形成して毛細管作用を発生させず、上記孔部４に引き込ませた雨水を孔部４の水下側から継手部材２より水下側の軒樋１の内面に重力によって流下させることができるのである（矢印Ｂ）。しかして、孔部４内で雨水が長期貯留される状態を回避して孔部４内への水垢等の付着を防止したり孔部４にゴミが溜まって詰まることを防止することができる。つまり、孔部４の機能の持続性を高めて、継手部材２と軒樋１との境界部５の毛細管作用を原因とする雨水の漏れ防止の向上が図られている。
【００２１】
図５には本発明の実施の形態の他例を示す。本例の孔部４は屈曲孔状に形成してあり、詳しくは、内継手部材２ａの長さ方向の中央側ほど内方位置に位置するように側面視で略ヘ字状になるように形成されている。これによると、先例の一直線孔状の孔部４に比べて孔部４の長さを長くとることができるのであって、雨水の孔部４内での引込量（貯留量）を増やし、継手部材２と軒樋１との境界部５の毛細管作用を原因とする雨水の漏れ防止の向上が図られている。また、軒樋１の長さ方向の端部にはその内面から外側に凹む凹段部１５が形成されており、一対の軒樋１の長さ方向の端面同士を突き合せた際に一対の凹段部１５が連続して弾接材収納凹所１６を形成し、この弾接材収納凹所１６内に内継手部材２ａの外面における長さ方向の中央部に沿わせて設けた弾接材６を充填するように収納させている。先例では一対の軒樋１の間から内継手部材２ａの外方突出部７が外部に露出していたが、本例では上述のように一対の軒樋１の長さ方向の端面同士が突き合せられてその外観には内継手部材２ａが露出しないからすっきりとした良好な外観を呈することができたものである。なお、弾接材６は先例と同様に内継手部材２ａに一体に形成してもよいが、内継手部材２ａとは別体の弾接材６を弾接材収納凹所１６に収納して配置するようにしてもよい。
【００２２】
図６及び７には本発明の実施の形態の他例を示す。図７のように、本例は、一対の軒樋１を継手部材２としての外継手部材２ｂを介して接続させる軒樋１の接続構造であり、詳しくは、長さ方向に隣接させた一対の軒樋１に跨るように外継手部材２ｂを軒樋１の外面に重ねて嵌合することで上記一対の軒樋１を接続させている。外継手部材２ｂの内面の長さ方向の中央部分には内方に突出するような内方突出部８が形成されており、外継手部材２ｂの内面の内方突出部８の残余部分（外継手部材２ｂの内面の長さ方向の両端部）には内方突出部８の内端面から外側に一段凹んだような接続用凹段部９が設けられている。内方突出部８の内側突出量（接続用凹段部９における内方突出部８の内端面から外側への凹み量）は、軒樋１の主体を構成する壁（底壁１２等）の厚み寸法と略同じかそれ以上に形成されている。
【００２３】
この外継手部材２ｂを介して一対の軒樋１を接続したときには、図６のように、各接続用凹段部９に各軒樋１の長さ方向の端部が挿入されるのであり、このとき内方突出部８の長さ方向の端面の上部部分は軒樋１の内面に臨む境界縁部３となっている。この境界縁部３は、軒樋１の外面と外継手部材２ｂの内面とで構成される境界部５の軒樋１側の端縁部分を構成する。そして、本例の外継手部材２ｂには上記境界縁部３に開口して軒樋１の内面に溜まる雨水を毛細管作用で引き込ませるための孔部４が穿設されている。なお本例の孔部４は屈曲孔状に形成してあり、詳しくは、外継手部材２ｂの長さ方向の中央側ほど外方位置に位置するように側面視で略逆ヘ字状になるように形成されている。
【００２４】
本例も、先例と同様に、軒樋１の内面に溜まる雨水を、外継手部材２ｂと軒樋１との境界部５にできる隙間よりも先に、孔部４に毛細管作用にて引き込ませることができ、しかして、軒樋１の内面に溜まる雨水を継手部材２と軒樋１との境界部５に引き込ませずに、継手部材２と軒樋１との境界部５の毛細管作用を原因とする雨水の漏れ防止を図ることができたものである。なお、図示はしないが、軒樋１と外継手部材２ｂとの境界部５となる外継手部材２ｂの接続用凹段部９を弾接材６で構成したり、外継手部材２ｂとは別体の弾接材６を接続用凹段部９に配置して軒樋１との間に介装させることも、境界部５の毛細管作用を原因とする雨水の漏れ防止を弾接材６により向上させ得ることから、これを採用するのも好ましい。
【００２５】
また、叙述した実施形態において、孔部４は継手部材２（内継手部材２ａや外継手部材２ｂ）の周方向に亘って設けてもよいが、軒樋１の内面に溜まる雨水は軒樋１の内面のうち底壁１２の上面に溜まることが多いものであるから、少なくとも継手部材２の底壁２２に設けるようにしてもよい。また、孔部４は継手部材２をその長さ方向に貫通していなくとも、孔部４内に軒樋１の内面に溜まる雨水を毛細管作用にて引き込んで溜めることができて、軒樋１の内面に溜まる雨水を継手部材２と軒樋１との境界部５に至らせないようにできるのは言うまでもなく、これを採用してもよい。また、孔部４の孔内面に凹凸面を形成して表面張力を高めて毛細管現象による引込力が大きく発生するようにすることも好ましい。
【図面の簡単な説明】
【００２６】
【図１】本発明の実施の形態の例であり、（ａ）は軒樋の接続部分の側断面図であり、（ｂ）は（ａ）のＥ−Ｅ線断面図である。
【図２】同上の軒樋の接続部分の断面斜視図である。
【図３】（ａ）は内継手部材の全体の斜視図であり、（ｂ）は内継手部材の要部の断面斜視図である。
【図４】本発明の実施の形態の他例であり、軒樋の接続部分の側断面図である。
【図５】本発明の実施の形態の更に他例であり、（ａ）は軒樋の接続部分の側断面図であり、（ｂ）はＦ−Ｆ線断面図である。
【図６】本発明の実施の形態の更に他例であり、（ａ）は軒樋の接続部分の側断面図であり、（ｂ）はＧ−Ｇ線断面図である。
【図７】同上の軒樋の接続部分の断面斜視図である。
【図８】従来技術の例の軒樋の接続部分の側断面図である。
【符号の説明】
【００２７】
１  軒樋
２  継手部材
２ａ  内継手部材
２ｂ  外継手部材
３  境界縁部
４  孔部
５  境界部
６  弾接材
Ｄ１  水下側部位の孔径
Ｄ２  水上側部位の孔径
【図１】
0004797799.tif 000002
【図２】
0004797799.tif 000003
【図３】
0004797799.tif 000004
【図４】
0004797799.tif 000005
【図５】
0004797799.tif 000006
【図６】
0004797799.tif 000007
【図７】
0004797799.tif 000008
【図８】
0004797799.tif 000009